(57)【特許請求の範囲】
【請求項１】
本体の底面を構成するベースと、同ベースに取付けられ本体の前面及び左右側面部を構成する外胴と、本体内を圧縮機が配置された機械室と室外熱交換器が配置された熱交換室とに区画する仕切板と、前記機械室の上部に配置された電装ユニットとからなり、前記電装ユニットを電装基板を備えた電装品箱と、室内機と室外機を接続するための配線を中継する端子台を支持する端子台ホルダとから構成した空気調和機の室外機において、
前記端子台が前記端子台ホルダの表面に支持される一方、前記端子台ホルダの裏面側は、空気調和機を外部から制御する外部機器からの配線が接続される補助基板を取付けるための取付部を備えており、
前記取付部は、補助基板側に設けられた取付脚と、前記取付脚が挿入される挿入孔を有する前記端子台ホルダの裏面側に設けられた取付プレートとからなることを特徴とする空気調和機の室外機。
【発明の詳細な説明】
【技術分野】
【０００１】
本発明は、空気調和機の室外機に関わり、より詳細には、補助基板の取付に関するものである。
【背景技術】
【０００２】
空気調和機の室外機は、ベース上を仕切板により機械室と熱交換室とに区画し、機械室に圧縮機を配設する一方、熱交換室に、室外熱交換器と送風ファンとを配設している。また、機械室の上部には制御基板を備えた電装ユニットが配置されている(特許文献１参照）。
【０００３】
外部機器により空気調和機を制御する場合には、制御ユニットに補助基板の装着が行なわれるようになっている。補助基板を制御ユニットに追加することで、例えば、空気調和機の電力使用量を外部からコントロールできるようになっている。
【先行技術文献】
【特許文献】
【０００４】
【特許文献１】特開２０１１−５２８８２号（５頁、図１）
【発明の概要】
【発明が解決しようとする課題】
【０００５】
補助基板の装着作業は、室外機の前面に配置された室外機のカバーを外すとともに電装ユニットに備えられた制御基板を外す。そして制御基板に補助基板を差し込んだ後、再び電装ユニットに取付けることにより行なわれるようになっている。このように補助基板の装着作業は、制御基板の取り外し、取付作業を伴うため作業性が良くなく作業者の負担となっていた。本発明は、これに鑑み補助基板の装着作業が容易に行なえる空気調和機の室外機を提供することを目的とする。
【課題を解決するための手段】
【０００６】
本発明は、上記課題を解決するため、本体の底面を構成するベースと、同ベースに取付けられ本体の前面及び左右側面部を構成する外胴と、本体内を圧縮機が配置された機械室と室外熱交換器が配置された熱交換室とに区画する仕切板と、前記機械室の上部に配置された電装ユニットとからなり、前記電装ユニットを電装基板を備えた電装品箱と、室内機と室外機を接続するための配線を中継する端子台を支持する端子台ホルダとから構成した空気調和機の室外機において、前記端子台が前記端子台ホルダの表面に支持される一方、前記端子台ホルダの裏面側は、空気調和機を外部から制御する外部機器からの配線が接続される補助基板を取付けるための取付部を備えている構成となっている。
【発明の効果】
【０００７】
本発明によれば、端子台を支持した端子台ホルダの裏面側に補助基板を配置できるようにすることで、補助基板の装着作業の負担を軽減できるとともに、デッドスペースを利用することにより省スペース化も得られるようになっている。
【図面の簡単な説明】
【０００８】
【図１】本発明による空気調和機の室外機を示す外観斜視図である。
【図２】本発明による空気調和機の室外機を示す内部構成図である。
【図３】補助基板の取付を示す要部斜視図である。
【図４】補助基板の取付方法を示す説明図である。
【発明を実施するための形態】
【０００９】
以下、本発明の実施の形態を、添付図面に基づいた実施例として詳細に説明する。
【実施例１】
【００１０】
本発明による空気調和機の室外機は、図１の外観斜視図で示すように、左右一対の脚体１ａを備えた後述するベース１と、ベース1を覆う外胴とからなっている。外胴はベース１の前面に設けられた前面パネル２と、ベース１の左側に設けられた後述する左側パネル２５と、ベース１の右側に設けられた右側パネル３と、これら前面パネル２と右側パネル３と左側パネルの上面を覆う天板４とからなっている。右側パネル３は上部に把手７を備えるとともに、後述する端子台１５に臨んで端子台１５に接続される、図示しない室内機からの配線２３と後述する配線２４とが挿通する開口部３ａを設けている。また、右側パネル３には開口部３ａを覆うように配管カバー６が着脱自在に装着できるようになっている。前面パネル２の一側には円形状の吹出口５が形成されており、同吹出口５を覆うようにファンガード５ａが取付けられている。
【００１１】
次に、内部構成について説明する。図２で示すように、底面を構成するベース１上は仕切板８により機械室９と熱交換室１０とに区画されている。機械室９には圧縮機１１及びアキュームレータ１２が配置され、熱交換室１０にはＬ字状に形成された室外熱交換器１６と送風ファン１８とが配置されている。室外熱交換器１６は平行して並べられた多数のフィンと同フィンに直交するように蛇行状に配設された伝熱管とからなり、送風ファン１８はベース１に立設された支持台１７に取付けられた図示しないファンモータに軸支されている。
【００１２】
機械室の上方には、後述する制御基板１３ａを備えた電装ユニット１３が配置されており、同電装ユニット１３の一側下部には端子台ホルダ１４が取付けられており、開口部３ａに面した端子台ホルダ１４の表面１４ａに端子台１５が支持されている。室内機からの配線２３は開口部３ａを挿通して端子台１５に接続され、その後、図示しない内部配線により、制御基板１３ａに接続されるようになっている。
【００１３】
次に、図３を用いて補助基板１９の取付けについて説明する。端子台ホルダ１４の表面１４ａに端子台１５が支持される一方、端子台ホルダ１４の裏面１４ｂには補助基板１９が取付けられるようになっている。裏面１４ｂに取付けられた補助基板１９からはリード線２１が導出され制御基板１３ａに接続される一方、開口部３ａを挿通する配線２４により屋内に配置された外部機器に接続されるようになっている。
【００１４】
外部機器により空気調和機をコントロールする必要がある場合、空気調和機の設置工事の際に、補助基板１９が端子台ホルダ１４の後述する取付プレート２２に装着され、リード線２１により制御基板１３ａに接続されるとともに、配線２４により屋内に配置された図示しない外部機器に接続される。これにより、例えば、空気調和機の電力使用量が外部機器によりコントロールされるようになっており、政府による電力制限の規制等に適応することができるようになっている。
【００１５】
補助基板１９の四隅には樹脂材からなる基板ホルダ２０が取付けられ、基板ホルダ２０により補助基板１９は端子台ホルダ１４の裏面１４ｂに接合された取付部としての取付プレート２２に装着された後、前述したように、補助基板１９から導出されたリード線２１が制御基板１３ａに接続されるとともに、補助基板１９からの配線２４が開口部３ａを介して外部機器に接続されるようになっている。
【００１６】
次に、補助基板１９の取付構成について詳述する。端子台ホルダ１４の裏面１４ｂには前述したように板金からなる取付プレート２２が接合されている。取付プレート２２は、図４に示すように、台形状に形成され、端子台ホルダ１４の裏面１４ｂにスポット溶接により接合される一対の基部２２ｃと、基部２２ｃから傾斜して立ち上げられた傾斜部２２ｂと、傾斜部２２ｂに連続して形成され、四隅に挿入孔２２ｄを穿設した矩形状の保持部２２ａとからなっている。
【００１７】
補助基板１９の四隅に取付けられた樹脂材からなる基板ホルダ２０は、補助基板１９の角部を抑える爪部２０ａを有したＬ字状に形成され、取付プレート２２の挿入孔２２ｄに対応して、柔軟性を有する樹脂材の取付脚２０ｂを複数突設させている。
【００１８】
補助基板１９を支持した基板ホルダ２０の取付脚２０ｂを取付プレート２２の保持部２２ａに穿設された挿入孔２２ｄに挿入することにより、取付脚２０ｂが保持部２２ａに固定されるようになっている。これにより、補助基板１９は螺子止め等の煩雑な作業を要することなく、容易に室外機内に装着することができるようになっている。
【００１９】
端子台ホルダ１４の表面１４ａに補助基板１９を配置しようとすると、端子台１５と並べて配置することになり、端子台ホルダ１４を拡幅する必要がある。この為、室外機筐体が大きくなり、室外機筐体のコンパクト化の妨げになる虞がある。本発明によれば、端子台ホルダ１４の裏面１４ｂに補助基板１９を配置することにより、デッドスペースを有効利用して室外機筐体のコンパクト化を図ることができる一方、空気調和機の設置工事の際に行なわれる補助基板１９の装着作業が電装ユニット１３を分解することなく行なうことができ、装着作業の負担を軽減することができるようになっている。
【００２０】
尚、本願においては、端子台ホルダ１４の裏面に補助基板１９を固定した構成として説明しているが、これに限定されるものではなく、電装ユニット１３から延出された図示しない支持板に補助基板１９を取付け、端子台ホルダ１４の裏面側スペースに配置しても良い。
【符号の説明】
【００２１】
１  ベース
１ａ  脚体
２  前面パネル
３  右側パネル
３ａ  開口部
４  天板
５  吹出口
５ａ  ファンガード
６  配管カバー
７  把手
８  仕切板
９  機械室
１０  熱交換室
１１  圧縮機
１２  アキュームレータ
１３  電装ユニット
１３ａ  制御基板
１４  端子台ホルダ
１５  端子台
１６  室外熱交換器
１７  支持台
１８  送風ファン
１９  補助基板
２０  基板ホルダ
２０ａ  爪部
２０ｂ  取付脚
２１  リード線
２２  取付プレート
２２ａ  保持部
２２ｂ  傾斜部
２２ｃ  基部
２２ｄ  挿入孔
２３  配線
２４  配線
【図１】
0005929112.tif 000002
【図２】
0005929112.tif 000003
【図３】
0005929112.tif 000004
【図４】
0005929112.tif 000005